【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  第１の表色系によって表現された入力画像データを、所定の大きさの画素により構成されて第２の表色系により表現された出力画像データに変換する画像処理装置であって、
前記第１の表色系によって表現され且つ予め選択された複数の画像データを、前記第２の表色系による画像データに対応付けて記憶している変換テーブルと、
前記各々の入力画像データを、前記変換テーブルに記憶されている第１の表色系による画像データのいずれかに変換することにより、該入力画像データの量子化を行う画像データ量子化手段と、
前記量子化した入力画像データを、前記変換テーブルを参照することにより前記第２の表色系による画像データに変換する表色系変換手段と、
前記変換された第２の表色系による画像データを、平滑化する画像データ平滑化手段と、
前記平滑化された画像データを前記出力画像データとして出力する画像データ出力手段と
を備える画像処理装置。
【請求項２】  請求項１記載の画像処理装置であって、
更に、前記出力画像データの画素の大きさに関わる出力解像度を検出する出力解像度検出手段を備え、
前記画像データ平滑化手段は、前記検出した出力解像度が高くなるほど、平滑化の度合いを強くする手段である画像処理装置。
【請求項３】  請求項１記載の画像処理装置であって、
前記入力画像データが所定値以上変化する画素位置たるエッジ位置を検出するエッジ検出手段を備え、
前記画像データ平滑化手段は、前記エッジ位置の検出結果に応じた度合いで、前記画像データの平滑化を行う手段である画像処理装置。
【請求項４】  請求項３記載の画像処理装置であって、
前記画像データ平滑化手段は、前記検出したエッジ位置では前記平滑化の度合いを小さくして、前記画像データを平滑化する手段である画像処理装置。
【請求項５】  請求項３記載の画像処理装置であって、
前記画像データ平滑化手段は、前記検出したエッジ位置を除いて前記画像データを平滑化する手段である画像処理装置。
【請求項６】  請求項１記載の画像処理装置であって、
前記出力画像データの平滑化度合いの修正に関する修正情報を設定する修正情報設定手段を備え、
前記画像データ平滑化手段は、前記第２の表色系による画像データを、前記検出した出力解像度と前記設定された修正情報とに応じた度合いで平滑化する手段である画像処理装置。
【請求項７】  第１の表色系によって表現された入力画像データを受け取り、第２の表色系を構成する各色インクを用いて、画素毎にインクドットを形成することにより画像を印刷する印刷装置であって、
前記第１の表色系によって表現され且つ予め選択された複数の画像データを、前記第２の表色系による画像データに対応付けて記憶している変換テーブルと、
前記各々の入力画像データを、前記変換テーブルに記憶されている第１の表色系による画像データのいずれかに変換することにより、該入力画像データの量子化を行う画像データ量子化手段と、
前記量子化した入力画像データを、前記変換テーブルを参照することにより前記第２の表色系による画像データに変換する表色系変換手段と、
前記変換された第２の表色系による画像データを平滑化する画像データ平滑化手段と、
前記平滑化された画像データに基づいて、前記各色インクによるインクドットを印刷媒体上に形成するドット形成手段と
を備える印刷装置。
【請求項８】  第１の表色系によって表現された入力画像データを、所定の大きさの画素により構成されて第２の表色系により表現された出力画像データに変換する画像処理方法であって、
前記第１の表色系によって表現され且つ予め選択された複数の画像データを、前記第２の表色系による画像データに対応付けて、変換テーブルに記憶しておく工程と、
前記各々の入力画像データを、前記変換テーブルに記憶されている第１の表色系による画像データのいずれかに変換することにより、該入力画像データの量子化を行う工程と、
前記量子化した入力画像データを、前記変換テーブルを参照することにより前記第２の表色系による画像データに変換する工程と、
前記変換された第２の表色系による画像データを平滑化する工程と、
前記平滑化された画像データを前記出力画像データとして出力する工程と
を備える画像処理方法。
【請求項９】  第１の表色系によって表現された入力画像データを、所定の大きさの画素により構成されて第２の表色系により表現された出力画像データに変換する画像処理方法を、コンピュータを用いて実現するためのプログラムを記録した記録媒体であって、
前記第１の表色系によって表現され且つ予め選択された複数の画像データを、前記第２の表色系による画像データに対応付けて、変換テーブルに記憶しておく機能と、
前記各々の入力画像データを、前記変換テーブルに記憶されている第１の表色系による画像データのいずれかに変換することにより、該入力画像データの量子化を行う機能と、
前記量子化した入力画像データを、前記変換テーブルを参照することにより前記第２の表色系による画像データに変換する機能と、
前記変換された第２の表色系による画像データを平滑化する機能と、
前記平滑化された画像データを前記出力画像データとして出力する機能と
を実現するプログラムをコンピュータで読みとり可能に記録した記録媒体。
【請求項１０】  第１の表色系によって表現された入力画像データを、所定の大きさの画素により構成されて第２の表色系により表現された出力画像データに変換する画像処理方法を実現するためのコンピュータプログラムであって、
前記第１の表色系によって表現され且つ予め選択された複数の画像データを、前記第２の表色系による画像データに対応付けて、変換テーブルに記憶しておく機能と、
前記各々の入力画像データを、前記変換テーブルに記憶されている第１の表色系による画像データのいずれかに変換することにより、該入力画像データの量子化を行う機能と、
前記量子化した入力画像データを、前記変換テーブルを参照することにより前記第２の表色系による画像データに変換する機能と、
前記変換された第２の表色系による画像データを平滑化する機能と、
前記平滑化された画像データを前記出力画像データとして出力する機能と
をコンピュータによって実現させるコンピュータプログラム。
【手続補正２】
【補正対象書類名】明細書
【補正対象項目名】０００８
【補正方法】変更
【補正の内容】
【０００８】
【課題を解決するための手段およびその作用・効果】
上述の課題の少なくとも一部を解決するため、本発明の画像処理装置は、次の構成を採用した。すなわち、
第１の表色系によって表現された入力画像データを、所定の大きさの画素により構成されて第２の表色系により表現された出力画像データに変換する画像処理装置であって、
前記第１の表色系によって表現され且つ予め選択された複数の画像データを、前記第２の表色系による画像データに対応付けて記憶している変換テーブルと、
前記各々の入力画像データを、前記変換テーブルに記憶されている第１の表色系による画像データのいずれかに変換することにより、該入力画像データの量子化を行う画像データ量子化手段と、
前記量子化した入力画像データを、前記変換テーブルを参照することにより前記第２の表色系による画像データに変換する表色系変換手段と、
前記変換された第２の表色系による画像データを平滑化する画像データ平滑化手段と、
前記平滑化された画像データを前記出力画像データとして出力する画像データ出力手段と
を備えることを要旨とする。
【手続補正３】
【補正対象書類名】明細書
【補正対象項目名】０００９
【補正方法】変更
【補正の内容】
【０００９】
また、上記の画像処理装置に対応する本発明の画像処理方法は、
第１の表色系によって表現された入力画像データを、所定の大きさの画素により構成されて第２の表色系により表現された出力画像データに変換する画像処理方法であって、
前記第１の表色系によって表現され且つ予め選択された複数の画像データを、前記第２の表色系による画像データに対応付けて、変換テーブルに記憶しておく工程と、
前記各々の入力画像データを、前記変換テーブルに記憶されている第１の表色系による画像データのいずれかに変換することにより、該入力画像データの量子化を行う工程と、
前記量子化した入力画像データを、前記変換テーブルを参照することにより前記第２の表色系による画像データに変換する工程と、
前記変換された第２の表色系による画像データを平滑化する工程と、
前記平滑化された画像データを前記出力画像データとして出力する工程と
を備えることを要旨とする。
【手続補正４】
【補正対象書類名】明細書
【補正対象項目名】００１０
【補正方法】変更
【補正の内容】
【００１０】
かかる画像処理装置および画像処理方法においては、前記第１の表色系で表現された入力画像データを量子化した後、前記変換テーブルを参照することによって、前記第２の表色系で表現された画像データに変換する。このとき、変換によって得られた画像データには、入力画像データを量子化したことに起因するノイズが重畳している。そこで、該第２の表色系による画像データを平滑化することにより該ノイズを減少させてから、出力画像データとして出力する。
【手続補正５】
【補正対象書類名】明細書
【補正対象項目名】００１１
【補正方法】変更
【補正の内容】
【００１１】
こうすれば、適切な度合いで平滑化することができるので、プレ変換ノイズを効果的に除去しながら常に高画質な画像を表現することができる。
【手続補正６】
【補正対象書類名】明細書
【補正対象項目名】００１５
【補正方法】変更
【補正の内容】
【００１５】
あるいは、上述した画像処理装置においては、入力画像データが所定値以上変化する画素位置たるエッジ位置を検出することとして、該エッジ位置の検出結果に応じた度合いで、画像データの平滑化を行うこととしてもよい。
【手続補正７】
【補正対象書類名】明細書
【補正対象項目名】００２３
【補正方法】変更
【補正の内容】
【００２３】
更に本発明は、上述した画像処理方法を実現するプログラムをコンピュータに読み込ませ、コンピュータを用いて実現することも可能である。従って、本発明は次のようなプログラム、あるいは該プログラムを記憶した記録媒体としての態様も含んでいる。すなわち、上述の画像処理方法に対応する本発明のプログラムは、
第１の表色系によって表現された入力画像データを、所定の大きさの画素により構成されて第２の表色系により表現された出力画像データに変換する画像処理方法を実現するためのコンピュータプログラムであって、
前記第１の表色系によって表現され且つ予め選択された複数の画像データを、前記第２の表色系による画像データに対応付けて、変換テーブルに記憶しておく機能と、
前記各々の入力画像データを、前記変換テーブルに記憶されている第１の表色系による画像データのいずれかに変換することにより、該入力画像データの量子化を行う機能と、
前記量子化した入力画像データを、前記変換テーブルを参照することにより前記第２の表色系による画像データに変換する機能と、
前記変換された第２の表色系による画像データを平滑化する機能と、
前記平滑化された画像データを前記出力画像データとして出力する機能と
をコンピュータによって実現させることを要旨とする。
【手続補正８】
【補正対象書類名】明細書
【補正対象項目名】００２４
【補正方法】変更
【補正の内容】
【００２４】
また、上述の画像処理方法に対応する本発明の記録媒体は、
第１の表色系によって表現された入力画像データを、所定の大きさの画素により構成されて第２の表色系により表現された出力画像データに変換する画像処理方法を、コンピュータを用いて実現するためのプログラムを記録した記録媒体であって、
前記第１の表色系によって表現され且つ予め選択された複数の画像データを、前記第２の表色系による画像データに対応付けて、変換テーブルに記憶しておく機能と、
前記各々の入力画像データを、前記変換テーブルに記憶されている第１の表色系による画像データのいずれかに変換することにより、該入力画像データの量子化を行う機能と、
前記量子化した入力画像データを、前記変換テーブルを参照することにより前記第２の表色系による画像データに変換する機能と、
前記変換された第２の表色系による画像データを平滑化する機能と、
前記平滑化された画像データを前記出力画像データとして出力する機能と
を実現するプログラムをコンピュータで読みとり可能に記録していることを要旨とする。